(57)【特許請求の範囲】
【請求項１】
反射笠の開口部の外周縁部に外鍔部を備えた照明器具本体に装着されて反射笠の開口部にフィルタを保持する取付枠であって、反射笠の開口部の外径と略同一の外径を有する周枠と、周枠の複数箇所において周枠の厚さ方向に突出する取付片とを有し、各取付片にはそれぞれ矩形状の溝孔が周枠の厚さ方向に並べて２個設けられ、周枠に近い側の溝孔にフィルタを嵌合させることによりフィルタが取り付けられるとともに、周枠から離れた側の溝孔に照明器具本体の反射笠の外鍔部を嵌合させることにより照明器具本体の反射笠の開口部に着脱自在に装着されることを特徴とする照明器具のフィルタ取付枠。
【発明の詳細な説明】
【０００１】
【発明の属する技術分野】
本発明は、照明器具のフィルタ取付枠に関するもので、さらに詳しくは照明器具の反射笠の下部開口部にフィルタを取り付ける場合において、そのフィルタを着脱自在に装着するための取付枠に関するものである。
【０００２】
【従来の技術】
図３および図４はそれぞれ従来の照明器具のフィルタ取付枠の一例を示している。図３（Ａ）は反射笠の開口部の外周縁部に外鍔部を備えた照明器具本体と、フィルタ取付枠との分解斜視図、図３（Ｂ）は同上において照明器具本体にフィルタ取付枠を装着した状態の断面正面図である。また図４（Ａ）は内部に反射笠を設置した器具本体の開口部の内周縁部に溝部を備えた、照明器具本体と、フィルタ取付枠との分解斜視図、図４（Ｂ）は同上において照明器具本体にフィルタ取付枠を装着した状態の断面正面図である。
【０００３】
図３について説明する。照明器具本体１は反射笠２の開口部３の外周縁部に外鍔部４を備えているが、周枠５′内にフィルタ７を備えた取付枠５を、スペーサ８を介して反射笠２の開口部３にあてがい、つまみ６を回動操作してそのつまみ６の先端イを外鍔部４の上縁ロに係止することにより、照明器具本体１に取付枠５を装着するものである。この状態では、スペーサ８により反射笠２の開口部３の外鍔部４とフィルタ７との間に間隙ｄが形成され、この間隙ｄを介してランプ発生熱を照明器具本体１の外部に放散するものである。
【０００４】
つぎに図４について説明する。照明器具本体１は、円筒形本体２′の内部に反射笠２を備えており、その円筒本体２′の開口部３には外周縁部４′を備えており、円筒本体２′の開口部３の内周側には溝９を形成する。周枠５′内にはフィルタ７を備え、直径線上の両端において周枠５′に取付けばね６´，６´を設けた取付枠５を、反射笠２の開口部３にあてがい、取付けばね６´，６´を円筒本体２′の開口部３の内周側には溝９に弾発的に係合することにより、照明器具本体１に取付枠５を装着するものである。この状態では、取付けばね６´，６´により反射笠２の開口部３の外鍔部４とフィルタ７との間に間隙ｄが形成され、この間隙ｄを介してランプ発生熱を照明器具本体１の外部に放散するものである。
【０００５】
【発明が解決しようとする課題】
上記した従来例のものは、いずれも取付機構が複雑であって重量が大きく、しかもランプから発生した熱の放熱効果も効率的ではないという欠点がある。さらに図３に示すものでは、つまみ６を回動操作してそのつまみ６の先端イを外鍔部４の上縁ロに係止することで、照明器具本体１に取付枠５を装着するものであるから、照明器具本体１に対する取付枠５の着脱操作に手間がかかるという欠点もある。
【０００６】
本発明に係る照明器具のフィルタ取付枠によれば前記した従来例の欠点を除去できるものであって、簡易な取付機構を備えていて軽量であり、ランプから発生する熱を効率的に放熱するのはもちろん、照明器具本体に対する取付枠の取付けまたは取外しによる着脱操作が容易で、しかも安価な照明器具のフィルタ取付枠を提供することを目的としている。
【０００７】
【課題を解決するための手段】
前記目的を達成するために本発明に係る照明器具のフィルタ取付枠において、請求項１の発明は、反射笠２の開口部３の外周縁部に外鍔部４を備えた照明器具本体１と、反射笠２の開口部３の外径と略同一の外径を有する周枠５′の複数箇所において相互に内側方向にやや撓んだ状態で取付片Ａ，Ａを設けた取付枠５とで構成し、周枠５′内にフィルタ７を取り付けた取付枠５を、照明器具本体１の反射笠２の開口部３に着脱自在に装着するものであって、取付片Ａ，Ａのそれぞれには矩形状の溝孔ａ，ａ′を、中央片ｂを介在して周枠５´の厚さ方向に並べて相互に平行状態に形成するものである。
【０００８】
つぎに本発明に係る照明器具のフィルタ取付枠の作用について述べる。本発明は、周枠５′内にフィルタ７を取り付けた取付枠５を、照明器具本体１の反射笠２の開口部３に着脱自在に装着するのであるが、このとき反射笠２の開口部３の外径と略同一の外径を有する周枠５′の複数箇所に設けた取付片Ａ，Ａにより、照明器具本体１の反射笠２の外側を挟持するものである。
【０００９】
このように取付枠５を照明器具本体１に装着した状態では、反射笠２の開口部３の外鍔部４とフィルタ７との間に間隙ｄが形成され、この間隙ｄを介してランプ発生熱を照明器具本体１の外部に放散するものである。
また、本発明は、取付枠５の周枠５′内にフィルタ７を嵌め込んで反射笠２の開口部３にあてがいながら、取付枠５を上方に押し上げる。このとき周枠５′の両側の取付片Ａ，Ａは、相互に内方に撓む弾発力に抗して両側外方に拡がるが、矩形状の溝孔ａ内には反射笠２の開口部３の外鍔部４が至るとともに、矩形状の溝孔ａ′にはフィルタ７が至った状態で、周枠５′の両側の取付片Ａ，Ａはその弾発力により元の位置に復帰するように動作する。そして矩形状の溝孔ａ内には反射笠２の開口部３の外鍔部４が嵌合し、また矩形状の溝孔ａ′内にはフィルタ７が嵌合して、フィルタ７を嵌め込んだ取付枠５を照明器具本体１に固定して装着するものである。
【００１０】
このように取付枠５を照明器具本体１に装着した状態では、矩形状の溝孔ａ，ａ′間の中央部分ｂが介在して反射笠２の開口部３の外鍔部４とフィルタ７との間に間隙ｄが形成され、この間隙ｄを介してランプ発生熱を照明器具本体１の外部に放散するものである。
【００１１】
【発明の実施の形態】
本発明に係る照明器具のフィルタ取付枠について、その実施の形態を図面を参照しながら説明する。図１は本発明に係る照明器具のフィルタ取付枠の実施の形態を示したものであって、図１（Ａ）は反射笠の開口部の外周縁部に外鍔部を備えた照明器具本体と、フィルタ取付枠との分解斜視図であり、図１（Ｂ）は同上において、照明器具本体にフィルタ取付枠を装着した状態で、照明器具本体の上部の一部を省略したものの外観斜視図である。図２は内部に反射笠を設置した器具本体の下部開口部の外周縁部に外鍔部を備えた照明器具本体の外観斜視図であるが、図２（Ａ）は反射笠をたとえばガラス製とし開口部の内面を反射面として鏡面仕上げとしたものの外観斜視図、図２（Ｂ）は反射笠をたとえば金属製とし開口部の内面を反射面としたものの外観斜視図を示している。
【００１２】
本発明に係る照明器具のフィルタ取付枠の実施の態様を示した上記の各図において、従来例を示す図３および図４の各部に対応した箇所には、図３および図４に付した符号と同一の符号を付して説明する。図１（Ａ）（Ｂ）について説明する。反射笠２の開口部３の外周縁部に外鍔部４を備えた照明器具本体１と、反射笠２の開口部３の外径と略同一の外径を有する周枠５′の相対向する箇所において取付片Ａ，Ａを設けた取付枠５とで構成する。周枠５′内にフィルタ７を取り付けた取付枠５を、照明器具本体１の反射笠２の開口部３に着脱自在に装着するものである。このように取付枠５を照明器具本体１に装着した状態では、反射笠２の開口部３の外鍔部４とフィルタ７との間に間隙ｄが形成され、この間隙ｄを介してランプ発生熱を照明器具本体１の外部に放散するものである。
【００１３】
また、反射笠２の開口部３の外径と略同一の外径を有する周枠５′の直径上の両端には取付片Ａ，Ａを、周枠５′の内側方向にやや撓んだ状態で相対向して設けるもので、その取付片Ａ，Ａのそれぞれには矩形状の溝孔ａ，ａ′を相互に平行状態に形成して取付枠５の全体を構成している。なお、矩形状の溝孔ａ，ａ′は中央部分ｂを連通した形状、すなわち工字状に形成してもよい。なお、図１中のＳはランプソケット、Ｌはランプである。
【００１４】
また図２（Ａ）（Ｂ）は、照明器具本体１の異なる例を示しているが、（Ａ）は反射笠２をたとえばガラス製とし、開口部３の内面を反射面として鏡面仕上げとしたものの外観斜視図、（Ｂ）は反射笠２をたとえば金属製とし、開口部３の内面を反射面としたものの外観斜視図である。
つぎに照明器具本体１に取付枠５を装着する要領について述べる。取付枠５の周枠５′内にフィルタ７を嵌め込んで反射笠２の開口部３にあてがいながら取付枠５を上方に押し上げると、周枠５′の両側の取付片Ａ，Ａは、相互に内方に撓む弾発力に抗して両側外方に拡がり、矩形状の溝孔ａ内には反射笠２の開口部３の外鍔部４が至るとともに、矩形状の溝孔ａ′にはフィルタ７が至った状態で周枠５′の両側の取付片Ａ，Ａは、その弾発力により元の位置に復帰するように動作する。このとき矩形状の溝孔ａ内に反射笠２の開口部３の外鍔部４が嵌合するとともに、矩形状の溝孔ａ′内にフィルタ７が嵌合することにより、フィルタ７を嵌め込んだ取付枠５を照明器具本体１に確実に固定して装着するものである。
【００１５】
このように照明器具本体１に取付枠５を装着した状態では、矩形状の溝孔ａ，ａ′間の中央部分ｂが介在して反射笠２の開口部３の外鍔部４とフィルタ７との間に間隙ｄが形成され、この間隙ｄを介してランプ発生熱を照明器具本体１の外部に放散するものである。
【００１６】
【発明の効果】
本発明に係る照明器具のフィルタ取付枠によれば以下のような効果を奏する。すなわち、取付機構が簡易であるから軽量であり、照明器具のランプから発生した熱を効率的に放熱できるのはもちろん、照明器具本体に対する取付枠の取付けまたは取外しの着脱操作が容易であり、しかも装置全体の製造コストは安価であるという利点がある。
【図面の簡単な説明】
【図１】本発明に係る照明器具のフィルタ取付枠の実施の形態を示したもので、（Ａ）は反射笠の開口部の外周縁部に外鍔部を備えた照明器具本体と、フィルタ取付枠との分解斜視図、（Ｂ）は同上において、照明器具本体にフィルタ取付枠を装着した状態で照明器具本体の上部の一部を省略したものの外観斜視図である。
【図２】内部に反射笠を設置した器具本体の下部開口部の外周縁部に外鍔部を備えた照明器具本体の外観斜視図を示したもので、（Ａ）は反射笠をたとえばガラス製とし、開口部の内面を反射面として鏡面仕上げとしたものの外観斜視図、（Ｂ）は反射笠をたとえば金属製とし、開口部の内面を反射面としたものの外観斜視図である。
【図３】従来の照明器具のフィルタ取付枠の一例を示したもので、（Ａ）は反射笠の開口部の外周縁部に外鍔部を備えた照明器具本体と、フィルタ取付枠との分解斜視図、（Ｂ）は同上において照明器具本体にフィルタ取付枠を装着した状態の断面正面図である。
【図４】従来の照明器具のフィルタ取付枠の他の一例を示したもので、（Ａ）は内部に反射笠を設置した器具本体の開口部の内周縁部に溝部を備えた照明器具本体と、フィルタ取付枠との分解斜視図、（Ｂ）は同上において照明器具本体にフィルタ取付枠を装着した状態の断面正面図である。
【符号の説明】
１      器具本体
２      反射笠
３      開口部
４      開口部の外鍔部
５      取付枠
５′    取付枠の周枠
７      フィルタ
Ａ      取付枠の周枠両側の取付片
ａ，ａ′取付片に設けた矩形状の溝孔
【図１】
0003740765.tif 000002
【図２】
0003740765.tif 000003
【図３】
0003740765.tif 000004
【図４】
0003740765.tif 000005